(57)【特許請求の範囲】
【請求項１】
下面を開放させた収納室を設けて車室天井の一部に、縁部を天井面に沿わせて取付けたコンソール本体を有し、この本体の前記開放部には、一端を軸支し、他端自由側にはロック構造を設けて開閉可能としたリッドを設けてなるコンソールにおいて、
前記リッドは、中央部を弾性をもたせて折曲げた１本の軸を撓ませて、この軸の両端を、リッドの軸孔とこの軸孔に対応する前記本体の軸孔に一度に挿入することにより、この本体に回動可能に軸支されていると共に、取外し離脱できるように組付けられていることを特徴とする自動車用オーバーヘッドコンソール。
【請求項２】
下面を開放させた収納室を設けて車室天井の一部に、縁部を天井面に沿わせて取付けたコンソール本体を有し、この本体の前記開放部には、一端を軸支し、他端自由側にはロック構造を設けて開閉可能としたリッドを設けてなるコンソールにおいて、
前記ロック構造は、ラッチ機構とし、一端を回動可能に軸着したリッドの自由端に係止爪を設け、この係止爪と対応する本体に、前記ラッチ機構のロック部を設け、このロック部には、外側面に縦方向の嵌合溝を設けると共に、この嵌合溝には、上面にラッチ機構を出没可能とした嵌合孔と、前記嵌合溝と対応してカバー体を嵌合係止する手段を設けたことを特徴とする自動車用オーバーヘッドコンソール。
【発明の詳細な説明】
【０００１】
【発明の属する技術分野】
本発明は、自動車の車室の天井部分に取り付けられるオーバーヘッドコンソールに関するもので、特に、ルームランプやスポットランプ等と、サングラスやカード等の小物を収容する小物入れを一体に備え、天井の低い乗用車にも装備が容易な自動車用オーバーヘッドコンソールに関するものである。
【０００２】
【従来の技術】
従来から種々の自動車用オーバーヘッドコンソールが提案されているが、小物入れのリッド取付部分や係止部が複雑で大型となり、トラック等の大型自動車やハイルーフ車には採用例があるものの、天井の低い乗用車等に適した小物入れを備えたオーバーヘッドコンソールは実用化されていなかった。
【０００３】
【発明が解決しようとする課題】
本発明は、小物入れのリッド取付部や係止部の構成を簡素化し、小型で天井の低い乗用車への取付けに好適な自動車用のオーバーヘッドコンソールを提供するものである。
【０００４】
また、小物入れのリッドの取付けを簡素化することにより組立てを容易とすると共に、簡単に取り外せるようにして保守の便を図るようにしたこと、更には、車内であり、見栄えを損なわないため、リッドの開閉の簡易化によるロック部の係止部の傷痕及びラッチ機構の露出を防ぐことを提供するものである。
【０００５】
【課題を解決するための手段】
本発明は斯様な実情に鑑み、この課題に対処するため、小物入れリッドの取付け、取外しを簡単にするため、１本の軸の中央部を屈折して弾性をもたせて軸を撓ませて軸の両端を一度に軸孔に挿入して組付けを容易とし、更にノブと一体にしたロック杆の係止爪との係離する係止部を凹入部に設けてロック傷をカバーするようにし、更にラッチ機構のロック部にカバー体を設けるようにして、小型化とし、天井の低い乗用車の車内の天井部に組付け、外観美を損なわないようにした自動車用オーバーヘッドコンソールを提供するものである。
【０００６】
【発明の実施の形態】
図は、本発明の自動車用オーバーヘッドコンソールの好ましい一実施例を示したもので、以下図に基づいて具体的に説明する。
【０００７】
１はコンソール本体で、この本体１は一端側にスイッチ機構を設けた照明部１ａと、他方に複数の収納室２ａ，２ｂ，２ｃを有した収納部１ｂとで略矩形状にして形成されて、車内の天井の一部に、本体１の縁部１ｃを天井面に沿わせて取付け埋設してある。
【０００８】
本体１の収納部１ｂの各収納室２ａ，２ｂ，２ｃの各下面は開放され、夫々の開口部３ａ，３ｂ，３ｃには、リッド４ａ，４ｂ，４ｃを開閉可能となるように軸５により軸支してある。
【０００９】
前記軸５は、中央部５ａを左右に開くように弾性をもたせて屈曲させ、リッド４ｂ，４ｃに設けた軸孔をもつ軸受片６ｂ，６ｃと、本体１の軸受片６ｂ，６ｃと対応位置に穿った軸孔に軸５の両端を一度に挿入し、回動可能に軸支し、また離脱できるようにしてある。
【００１０】
またリッド４ａの一端背部には折曲げて延出させた腕片７を設け、この腕片７の先端は、本体１に設けた軸受片８に軸９によって軸支されて回動可能となっている。
【００１１】
また各リッド４ａ，４ｂ，４ｃには、内面に収納品受け部１０ａ，１０ｂ，１０ｃを設けて、この収納品受け部１０ａ，１０ｂ，１０ｃ内に小物類を収納し、リッドを開いた時便利となるようにしてある。
【００１２】
前記一端を軸支して回動できるリッド４ａの自由端は縁部に凹部１１を設けて係止部１１ａを成形し、更に、凹部１１と対応する本体１側には、上部にノブ１２ａに成形したロック杆１２を設ける。ロック杆１２は上部側に、前記係止部１１ａと係脱する爪１２ｂを設けて、本体１の収納室２ａ側に設けた孔を通して下端側を屈折し、この下端部は更に収納室２ａの内壁に穿った孔を通して弾性作用が行われるようにして内壁に当接させて取付け、ノブ１２ａの操作で前記ロック杆１２の爪１２ｂがリッド４ａの凹部１１に設けた係止部１１ａと係離させてロック作用を行うようにし、凹部１１によってロック時の傷を覆うようにしてある。
【００１３】
また、リッド４ｂ，４ｃの夫々の自由端側には、先端に係止爪１３ａを設けた係止片１３を延出させて設け、この係止片１３と対応させる本体１の収納室２ｂ，２ｃには夫々受片１４ａ、ラッチ爪１４ｂを有するラッチ機構１４を、スプリングと共に収納して保持するホルダ１５を設け、このホルダ１５に設けたラッチ機構１４によって、リッド４ｂ，４ｃの係止片１３を係脱できるようにしてある。
【００１４】
また、ホルダ１５を有する本体１の左右側片には縦方向の嵌合溝１６を設け、この嵌合溝１６には、ホルダ１５を覆うカバー体１７の内側に設けた鉤付ストッパー１７ａを摺嵌して抜出しできないようにして覆っている。
【００１５】
カバー体１７は上面にラッチ機構１４が出没できる嵌挿孔１７ｂを穿って、前記リッド４ｂ，４ｃの各係止片１３が挿込まれると係止されてロックできるようになっている。
【００１６】
【発明の効果】
本発明は上述のように、コンソール本体に設けた収納室の下面開放部には夫々軸を用いて軸支するが、この軸は一本の軸の中央部を弾性をもたせるようにして折曲げ、この軸の両端をリッドに設けた軸孔を有する軸受と、軸孔と対応する本体に設けた軸孔に一度に挿入させて軸支するようにするので組付け、取外しが容易に行うことができ清掃する時等便利である。
【００１７】
また、ロック杆に設けた爪を、ノブの作用で係止するリッド側の係止部は凹部内に設けてあるのでロックする爪の傷は凹部で覆われるので見苦しくない。更にロック部のラッチ機構はカバー体を用いてホルダを覆っている外観を損なうことがなく、また係止片の挿入、取出しが円滑に行われる等の効果が大である。
【図面の簡単な説明】
【図１】本発明による自動車用オーバーヘッドコンソールの一実施例を示した天井に取付けた状態の平面図である。
【図２】図１の中央縦断側面図である。
【図３】図２の一部拡大図でロック杆と凹部の係止部と係止した状態図である。
【図４】ロック部のラッチ機構のホルダにカバー体を設けて覆った状態の図２の一部拡大図である。
【図５】図３のホルダとカバー体の分解図である。
【図６】コンソール本体に折曲げ弾性をもたせた軸を用いて組付け時の斜視図である。
【符号の説明】
１                      コンソール本体
１ａ                    照明部
１ｂ                    収納部
１ｃ                    縁部
２ａ，２ｂ，２ｃ        収納室
３ａ，３ｂ，３ｃ        開口部
４ａ，４ｂ，４ｃ        リッド
５，９                  軸
５ａ                    中央屈曲部
６ｂ，６ｃ，８          軸受片
７                      腕片
１０ａ，１０ｂ，１０ｃ  収納品受け部
１１                    凹部
１１ａ                  係止部
１２                    ロック杆
１２ａ                  ノブ
１２ｂ，１３ａ          爪
１３                    係止片
１４                    ラッチ機構
１４ａ                  受片
１４ｂ                  ラッチ爪
１５                    ホルダ
１６                    嵌合溝
１７                    カバー体
１７ａ                  ストッパー
１７ｂ                  嵌合孔
【図１】
0003682108.tif 000002
【図２】
0003682108.tif 000003
【図３】
0003682108.tif 000004
【図４】
0003682108.tif 000005
【図５】
0003682108.tif 000006
【図６】
0003682108.tif 000007